(57)【要約】【課題】簡便且つ少ないキー操作でチャンネル入力操作が可能なテレビジョン受像機を提供する。【解決手段】テレビジョン装置１００、１００ａにおいて、数字を入力するためのテンキーを備えるリモートコントロール装置２、２ａを備え、各数字キーは各数字キーに割り当てられた数字を入力する機能を有する第１のキー２６ａと、当該入力された数字又は当該入力された数字及び第１のキー２６ａにより入力された数字を確定する機能を有する第２のキー２６ｂとを備え、各数字キー２６の第２のキー２６ｂの押下操作により、第２のキー２６ｂに割り当てられた数字を入力し、且つ、当該入力した数字又は当該入力した数字及び第１のキー２６ａにより入力した数字とを確定する。【選択図】図２
2007020076.tif 000002
【特許請求の範囲】
【請求項１】
デジタル放送及びアナログ放送を受信して放映することが可能なテレビジョン受像機であって、
数字を入力するための複数の数字キーを備えるリモートコントロール装置を備え、
前記複数の数字キーの各々は、各数字キーに割り当てられた数字を入力する機能を有する第１のキーと、各数字キーに割り当てられた数字を入力する機能と、当該入力された数字、又は当該入力された数字及び前記第１のキーにより入力された数字を確定する機能とを有する第２のキーと、を備え、
前記数字キーは、同一の数字が割り当てられた前記第１のキーと前記第２のキーとが連結されたシーソーボタンであり、
前記第２のキーの操作、又は前記第１のキー及び前記第２のキーの操作による数字の入力と、前記第２のキーの操作による数字の確定入力と、により確定された数字に基づいてチャンネルを設定する設定手段を備え、
前記設定手段は、
前記数字キーにより入力された数字の桁数に応じて、設定されるチャンネルがアナログ放送かデジタル放送かを判定する判定手段と、
前記判定手段による判定結果によりアナログ放送又はデジタル放送に切り替える切替手段と、を備え、
前記判定手段は、
前記数字キーの第１のキーにより数字の入力が所定の桁数入力された場合に、設定されるチャンネルがデジタル放送であると判定することを特徴とするテレビジョン受像機。
【請求項２】
数字を入力するための複数の数字キーを備える操作入力装置であって、
前記複数の数字キーの各々は、各数字キーに割り当てられた数字を入力する機能を有する第１のキーと、各数字キーに割り当てられた数字を入力する機能と、当該入力された数字、又は当該入力された数字及び前記第１のキーにより入力された数字を確定する機能と、を有する第２のキーと、を備えることを特徴とする操作入力装置。
【請求項３】
前記数字キーは、同一の数字が割り当てられた前記第１のキーと前記第２のキーとが連結されたシーソーボタンであることを特徴とする請求項２に記載の操作入力装置。
【請求項４】
請求項２又は３に記載の操作入力装置を備えるテレビジョン受像機であって、
前記操作入力装置は、テレビジョン受像機に対して遠隔操作を行うリモートコントロール装置であり、
前記第２のキーの操作、又は前記第１のキー及び前記第２のキーの操作による数字の入力と、前記第２のキーの操作による数字の確定入力と、により確定された数字に基づいて、チャンネルを設定する設定手段を備えることを特徴とする請求項２又は３に記載の操作入力装置を備えるテレビジョン受像機。
【請求項５】
前記テレビジョン受像機は、デジタル放送及びアナログ放送を受信して放映することが可能に構成され、
前記設定手段は、
前記数字キーにより入力された数字の桁数に応じて、設定されるチャンネルがアナログ放送かデジタル放送かを判定する判定手段と、
前記判定手段による判定結果によりアナログ放送又はデジタル放送に切り替える切替手段と、
を備えることを特徴とする請求項４に記載のテレビジョン受像機。
【請求項６】
前記判定手段は、
前記数字キーの第１のキーにより数字の入力が所定の桁数入力された場合に、設定されるチャンネルがデジタル放送であると判定することを特徴とする請求項５に記載のテレビジョン受像機。
【発明の詳細な説明】
【技術分野】
【０００１】
本発明は、操作入力装置及びテレビジョン受像機に関する。
【背景技術】
【０００２】
近年、テレビジョン放送の分野において、これまで主として用いられてきた地上波のアナログ放送技術に代わって、地上波デジタル放送の他、通信衛星（ＣＳ；Communications
Satellite）や放送衛星（ＢＳ；Broadcast Satellite）を介してデジタル信号を伝送す
るデジタル放送技術、ＣＡＴＶ（ケーブルテレビジョン）システムが急速に普及しつつある。デジタル放送では、画像データや音声データ等を圧縮すると共に多重化して放送するので番組数が極めて多く、それぞれの番組を放映するチャンネル数が増加している。
【０００３】
例えば、従来のＮＴＳＣ（National Television System Committee）規格下のテレビジョン放送の、一つのチャンネル周波数帯で一つの放送番組を伝送する方式に対して、米国においては、米国高品位テレビジョン方式委員会（United States Advanced Television Systems Committee）（ＡＴＳＣ）によって作成されたＡＴＳＣ規格下で、デジタルテレ
ビジョン放送局は、１つの高品位デジタル信号（例えば、メインチャンネル又はメジャーチャンネル）を多数の「サブチャンネル」又は「マイナーチャンネル」に分割し、多数の放送番組の提供を行っている。
【０００４】
このようなチャンネル数の増加に伴い、デジタル放送、地上波放送、ＢＳ放送、ＣＳ放送、ＣＡＴＶ等の多チャンネルの受信に供する放送受信機において、リモートコントロール装置等によるチャンネル選局が煩雑になるという問題が生じている。
【０００５】
具体的には、例えば、チャンネルをリモートコントロール装置に備わる数字キーの操作により入力して選局を行う場合、リモートコントロール装置に設けられた数字キーの押下後、さらに確定キーを押下することで、入力されたチャンネルの確定がなされ、選局が行われる。
【０００６】
このように、数字キーの押下操作によりチャンネルを入力して行う選局方法においては、数字キーによる押下操作に加えて、確定キーの押下操作が必要となるため、押下操作の回数がチャンネルの桁数以上となり、テレビジョン放送の多チャンネル化に応じて、押下操作の回数がますます増えることとなる。
【０００７】
また、選局の際にメインチャンネルとサブチャンネルを区分するための区分キー（例えば、ハイフンキー）の押下操作が必要とされる場合もあり、リモートコントロール装置のキー押下操作回数は更に増加する。
【０００８】
さらに、アナログテレビジョン放送と、デジタルテレビジョン放送との受信に供するテレビジョン放送受信機に対して操作を行う操作入力装置では、アナログ／デジタルの切り替えが必要となるため、リモートコントロール装置のキー押下操作回数が更に増加することとなる。
【０００９】
そこで、従来、ワンタッチキーの連続操作にて順次チャンネルを変更選局する機能と、画面表示されたチャンネルリスト上でカーソルを移動させることによりチャンネルを変更選局する機能とを備え、チャンネル数に応じて上記二つの選局機能のうち何れかが自動的に選択されて、選局操作性の向上が図られる選局方式（例えば、特許文献１参照）が開示されている。
【００１０】
また、チャンネルとして視聴者により入力された１または複数桁の数字をチャンネルの上位桁とすることで与えられるチャンネルの存在範囲を特定し、次に、現時刻の属する時間帯において過去に視聴されたチャンネルを検索してチャンネルの存在範囲に属する最も近時に視聴されたチャンネルを検出し、検出されたチャンネルを放送受信装置に一体的に
あるいは別個に設けられる表示装置の画面上に表示して、少ないキー操作で選局することが可能とされるチャンネル選局方式（例えば、特許文献２参照）がある。
【００１１】
また、十字カーソルキーの上下操作を放送局の選局に、十字カーソルキーの左右操作を番組の選局に割り当て、選局操作性の向上が図られる選局方式（例えば、特許文献３参照）や、ＲＦチャネルを通じて受信されるデジタルテレビジョン放送のプログラムそれぞれの固有プログラム番号を順序通りに整列して順次続く参照番号を一つずつ順次与え、ＲＦチャネルを指定する数字キーと参照番号を指定する数字キーの連続的な入力によって所望のプログラムに一度に変更することで選局操作性の向上が図られる選局方式（例えば、参考文献４参照）等が開示されている。
【特許文献１】特開２００４−１６５８６２号公報
【特許文献２】特開２００３−１５２５０４号公報
【特許文献３】特開２００１−２５７６１０号公報
【特許文献４】特開平１１−０３２２６３号公報
【発明の開示】
【発明が解決しようとする課題】
【００１２】
しかしながら、特許文献１の選局方式では、チャンネル数が多い場合の操作性が、チャンネル数の少ない場合の操作性に比べて悪くなる。
【００１３】
また、特許文献２の選局方式では、過去に視聴していないチャンネルを選局する場合の選局操作性は向上しないことになる。
【００１４】
更に、特許文献３に開示されている選局方式は、リモートコントロール装置による入力操作後に、表示画面上の表示を参照しながらリモートコントロール装置による入力操作を行う選局方式を採用しているため、２段階以上の多様な操作が必要とされることとなり、操作性が悪い。また、この点に関しては、特許文献１．２も表示画面上の表示を参照して入力操作を行う選局方式であり、同様である。
【００１５】
また、特許文献４に開示されている選局方式では、参照番号を付与した後でないと選局が簡便化されないので、初めから選局するチャンネルが決まっている場合には却って面倒である。
【００１６】
このように、特許文献１〜４の選局方式では、過去に視聴していない番組を選局する場合、チャンネルの桁数の多い番組を選局する場合、初めから選局するチャンネルが決まっている場合等は、操作性が非常に悪いこととなる。
【００１７】
本発明の課題は、初めから入力する数字が決まっている場合に、簡便且つ少ないキー操作で数字入力操作が行われる操作入力装置、及び初めから入力するチャンネルが決まっている場合に、簡便且つ少ないキー操作でチャンネル入力操作が可能なテレビジョン受像機を提供することである。
【課題を解決するための手段】
【００１８】
以上の課題を解決するため、請求項１に記載の発明は、デジタル放送及びアナログ放送を受信して放映することが可能なテレビジョン受像機であって、
数字を入力するための複数の数字キーを備えるリモートコントロール装置を備え、
前記複数の数字キーの各々は、各数字キーに割り当てられた数字を入力する機能を有する第１のキーと、各数字キーに割り当てられた数字を入力する機能と、当該入力された数字、又は当該入力された数字及び前記第１のキーにより入力された数字を確定する機能とを有する第２のキーと、を備え、
前記数字キーは、同一の数字が割り当てられた前記第１のキーと前記第２のキーとが連結されたシーソーボタンであり、
前記第２のキーの操作、又は前記第１のキー及び前記第２のキーの操作による数字の入力と、前記第２のキーの操作による数字の確定入力と、により確定された数字に基づいてチャンネルを設定する設定手段を備え、
前記設定手段は、
前記数字キーにより入力された数字の桁数に応じて、設定されるチャンネルがアナログ放送かデジタル放送かを判定する判定手段と、
前記判定手段による判定結果によりアナログ放送又はデジタル放送に切り替える切替手段と、を備え、
前記判定手段は、
前記数字キーの第１のキーにより数字の入力が所定の桁数入力された場合に、設定されるチャンネルがデジタル放送であると判定することを特徴とする。
【００１９】
請求項２に記載の発明は、数字を入力するための複数の数字キーを備える操作入力装置であって、
前記複数の数字キーの各々は、各数字キーに割り当てられた数字を入力する機能を有する第１のキーと、各数字キーに割り当てられた数字を入力する機能と、当該入力された数字、又は当該入力された数字及び前記第１のキーにより入力された数字を確定する機能と、を有する第２のキーと、を備えることを特徴とする。
【００２０】
請求項３に記載の発明は、請求項２に記載の操作入力装置において、前記数字キーは、同一の数字が割り当てられた前記第１のキーと前記第２のキーとが連結されたシーソーボタンであることを特徴とする。
【００２１】
請求項４に記載の発明は、請求項２又は３に記載の操作入力装置を備えるテレビジョン受像機であって、
前記操作入力装置は、テレビジョン受像機に対して遠隔操作を行うリモートコントロール装置であり、
前記第２のキーの操作、又は前記第１のキー及び前記第２のキーの操作による数字の入力と、前記第２のキーの操作による数字の確定入力と、により確定された数字に基づいて、チャンネルを設定する設定手段を備えることを特徴とする。
【００２２】
請求項５に記載の発明は、請求項４に記載のテレビジョン受像機において、前記テレビジョン受像機は、デジタル放送及びアナログ放送を受信して放映することが可能に構成され、
前記設定手段は、
前記数字キーにより入力された数字の桁数に応じて、設定されるチャンネルがアナログ放送かデジタル放送かを判定する判定手段と、
前記判定手段による判定結果によりアナログ放送又はデジタル放送に切り替える切替手段と、
を備えることを特徴とする。
【００２３】
請求項６に記載の発明は、請求項５に記載のテレビジョン受像機において、前記判定手段は、
前記数字キーの第１のキーにより数字の入力が所定の桁数入力された場合に、設定されるチャンネルがデジタル放送であると判定することを特徴とする。
【発明の効果】
【００２４】
請求項１に記載の発明によれば、第２のキーの操作により、当該第２のキーに割り当てられた数字が入力され、且つ、当該入力された数字、又は当該入力された数字及び第１のキーにより入力された数字が確定されるので、チャンネルを設定する際、数字キーの押下操作後に確定キーの押下操作をする必要が無くなり、キーの入力操作回数が減って、ユーザは簡便且つ少ない操作でチャンネルの設定操作を行うことができる。
【００２５】
また、リモートコントロール装置の各数字キーは、同一の数字が割り当てられた第１の
キーと第２のキーとが連結されたシーソーボタンであるため、入力操作が容易となる。
【００２６】
また、数字キーにより入力された数字の桁数に応じて、設定されるチャンネルがアナログ放送か或いはデジタル放送かが判定され、この判定結果によりアナログ放送又はデジタル放送に切り替えがなされるので、アナログからデジタルへの切り替えが自動で行われることとなって、ユーザによるチャンネル設定操作をより簡便にすることができる。
【００２７】
請求項２に記載の発明によれば、第２のキーの操作により、各数字キーに割り当てられた数字が入力され、且つ、当該入力された数字、又は当該入力された数字及び第１のキーにより入力された数字が確定されるので、数字キーの押下操作後に確定キーの押下操作をする必要が無くなり、キーの入力操作回数が減って、ユーザは簡便且つ少ない操作で操作入力装置の操作を行うことができる。
【００２８】
請求項３に記載の発明によれば、請求項２に記載の発明の効果が得られるのは無論のこと、数字キーは、同一の数字が割り当てられた第１のキーと第２のキーとが連結されたシーソーボタンであるため、入力操作が容易となる。
【００２９】
請求項４に記載の発明によれば、請求項２又は３に記載の発明の効果が得られるのは無論のこと、第２のキーの操作により、当該第２のキーに割り当てられた数字が入力され、且つ、当該入力された数字、又は当該入力された数字及び第１のキーにより入力された数字とが確定され、確定された数字によりチャンネルが設定されるので、チャンネルを設定する際、数字キーの押下操作後に確定キーの押下操作をする必要が無くなり、キーの入力操作回数が減って、ユーザは簡便且つ少ない操作でチャンネルの設定操作を行うことができる。
【００３０】
請求項５に記載の発明によれば、請求項４に記載の発明の効果が得られるのは無論のこと、数字キーにより入力された数字の桁数に応じて、設定されるチャンネルがアナログ放送か或いはデジタル放送かが判定され、この判定結果によりアナログ放送又はデジタル放送に切り替えがなされるので、アナログからデジタルへの切り替えが自動で行われることとなって、ユーザによるチャンネル設定操作をより簡便にすることができる。
【００３１】
請求項６に記載の発明によれば、請求項５に記載の発明の効果が得られるのは無論のこと、判定手段により、数字キーの第１のキーにより数字の入力が所定の桁数入力された場合に、設定されるチャンネルがデジタル放送であると判定されるので、チャンネルを設定する際、アナログからデジタルへの切り替えが自動で行われることとなって、ユーザは少ない操作でスムーズにアナログ／デジタルの切り替えを行うことができる。
【発明を実施するための最良の形態】
【００３２】
以下、本発明の実施の形態を、図を参照しながら詳細に説明する。本実施の形態においては、操作入力装置としてのリモートコントロール装置を備え、デジタル放送及びアナログ放送を受信して放映することが可能なテレビジョン受像機について説明する。
【００３３】
（実施形態１）
本実施形態１におけるテレビジョン受像機は、例えば、１〜３桁のチャンネルが選局可能である。また、１桁のチャンネル番号に応じた放送番組はアナログ放送のみであり、２桁のチャンネル番号に応じた放送番組はアナログ放送又はデジタル放送であり、３桁のチャンネル番号に応じた放送番組はデジタル放送のみである。
【００３４】
まず、装置全体の構成を説明する。図１はテレビジョン受像機の構成を示すブロック図である。
【００３５】
図１に示すように、テレビジョン受像機１００は、アナログ／デジタル放送信号を受信
し、受信されたアナログ／デジタル放送信号に基づく映像や音声を出力するテレビジョン受像機本体１と、テレビジョン受像機本体が受信した放送信号に応じて各番組に対応づけられたチャンネルの選局等を行うリモートコントロール装置（以下、リモコンという。）２と、を備えている。
【００３６】
テレビジョン受像機本体１は、アナログ／デジタル放送信号を受信するアンテナ３と、アンテナ３と接続され、アンテナ３により受信されたアナログ／デジタル放送信号から選局及び変調を行うチューナ４と、チューナ４により変調されたアナログ／デジタル放送信号の入力を切り替えるアナログ／デジタル信号切替部５と、アンテナ３により受信され、チューナ４により変調されたアナログ／デジタル放送信号を音声・映像ごとに復号するアナログデコーダ６及びデジタルデコーダ７と、アナログデコーダ６又はデジタルデコーダ７によって復号された映像データに応じて映像を出力する映像出力部８と、アナログデコーダ６又はデジタルデコーダ７によって複合された放送信号に基づく音声データに応じて音声を出力する音声出力部９と、映像出力部８にＯＳＤ（On Screen Display）表示をさ
せるＯＳＤ付加回路１０と、テレビジョン受像機１００の各部に制御信号を出力し、テレビジョン受像機１００全体を統括制御する制御部１１と、リモコン２からの操作信号を受信するリモコン信号受光部１２と、等から構成される。
【００３７】
アンテナ３は、屋外に配置され、テレビジョン放送局から発信される符号化された高周波（RF）のアナログ／デジタル放送信号を受信する。
【００３８】
チューナ４は、アンテナ３により受信されたアナログ／デジタル放送信号の供給を受けるとともに、リモコン２等から入力されたチャンネル切り替えに関する指示入力に応じてチャンネルを選局し、選局されたチャンネルに対応する特定周波数帯域に存在するアナログ／デジタル放送信号を受信し、その放送信号を中間周波数（IF）に変調して、アナログデコーダ６或いはデジタルデコーダ７に出力する。
【００３９】
アナログ／デジタル信号切替部５は、制御部１１からの指示出力に応じて、アンテナ３により受信され、チューナ４により変調されたアナログ放送信号或いはデジタル放送信号を、アナログデコーダ６或いはデジタルデコーダ７の何れかに出力する切り替え処理を行う。ユーザがアナログ放送のチャンネルを選択した場合は、アナログデコーダ６にアナログ放送信号が出力されることとなり、ユーザがデジタル放送のチャンネルを選択した場合は、デジタルデコーダ７にデジタル放送信号が出力されることとなる。
【００４０】
アナログデコーダ６は、チューナ４から伝送されたアナログ放送信号を、音声・映像ごとに復号し、デジタルデコーダ７は、チューナ４から伝送されたデジタル放送信号を、音声・映像ごとに復号し、アナログデコーダ６及びデジタルデコーダ７は、復号化された音声・映像をそれぞれ映像出力部８、音声出力部９に出力する。
【００４１】
映像出力部８は、例えば、図示しない液晶方式等の表示画面を備え、アナログデコーダ６或いはデジタルデコーダ７から出力された映像信号に基づいて映像の出力を行う。
【００４２】
音声出力部９は、例えば、図示しないスピーカ等を備え、アナログデコーダ６或いはデジタルデコーダ７から出力された音声信号に基づいて音声の出力を行う。
【００４３】
ＯＳＤ付加回路１０は、制御部１１からの指示出力に応じて、映像出力部８にチャンネル番号等のＯＳＤデータを、アナログデコーダ６又はデジタルデコーダ７から出力された映像データに合成する。具体的には、例えば、リモコン２のテンキー２６（図２）の押下操作によって数字が入力されると、入力された数字は順次左から右へ映像出力部８の表示画面上に表示されることとなる。
【００４４】
制御部１１は、図示しないＣＰＵ（Central Processing Unit）、ＲＡＭ（Random Access  Memory）、ＲＯＭ（Read Only Memory）を備え、リモコン２等による入力操作信号に
応じて、ＲＯＭに格納する各種プログラムを実行し、各部に指示信号を出力することによって、テレビジョン受像機１００の動作全般を統括制御する。
【００４５】
具体的には、制御部１１は、所定のプログラムを実行することにより、リモコン２のテンキー２６（図２）による入力操作により確定された数字に基づいて、チャンネルを設定する設定手段と、入力された数字の桁数に応じて、設定されるチャンネルがアナログ放送かデジタル放送かを判定する判定手段として機能する。
【００４６】
また、制御部１１は、所定のプログラムを実行することにより、判定手段による判定結果に応じてアナログ放送又はデジタル放送に切り替える切替手段として機能する。
【００４７】
リモコン信号受光部１２は、リモコン２の各種キーの押下操作により送信された入力操作信号を受信して、制御部１１に出力する。
【００４８】
図２は、リモコン２の平面図である。
【００４９】
リモコン２は、テレビジョン受像機本体１の遠隔操作を行う装置であり、各種指示を入力するための各種キーを備えている。
【００５０】
具体的には、図２に示すように、テレビジョン受像機本体１の主電源をＯＮ／ＯＦＦするためのＰＯＷＥＲキー２１と、音量を調節するためのボリュームアップ／ダウンキー２２と、チャンネルを変更するためのチャンネルアップ／ダウンキー２３と、アナログ放送／デジタル放送の切り替えを行うアナログ切替キー２４及びデジタル切替キー２５と、所望のテレビジョン放送のチャンネルを入力して選局するための数字キーとしてのテンキー２６と、一旦入力した数字等を消去するためのＣＬＥＡＲキー２７と、等を備えている。
【００５１】
各テンキー２６には、シーソーボタンが採用されている。シーソーボタンとは、例えば、左右に第１のキー２６ａと、第２のキー２６ｂとが連結して設けられているキーであり、第１のキー２６ａ、第２のキー２６ｂの何れか一方が押下されると他方が上昇してシーソー運動するボタンのことである。
【００５２】
シーソーボタンであるテンキー２６の第１のキー２６ａは、各テンキー２６に割り当てられた０〜９の数字を入力する機能を有するキーである。一方、テンキー２６の第２のキー２６ｂは、各テンキー２６に割り当てられた０〜９の数字を入力する機能と、テンキー２６により入力され、映像出力部８上にＯＳＤ表示された数字の入力を確定させる確定キーの入力を行う機能と、を有するキーである。
【００５３】
即ち、第２のキー２６ｂが押下された場合、かかる入力操作信号により、制御部１１は、数字の入力と、入力された数字の確定とが一度の押下操作により行われたものと判断し、数字の入力後に別途確定キーを押下操作がされることなく、確定されたチャンネルに応じた周波数帯のアナログ／デジタル放送信号を選択し、受信する制御を行う。
【００５４】
また、第２のキー２６ｂの押下操作によって１桁の数字が確定された場合、かかる入力操作信号により、制御部１１は、設定されたチャンネルはアナログ放送のチャンネルであると判断し、アナログ切替キー２４が押下操作されることなく、アナログ／デジタル信号切替部５をアナログに切り替える制御を行う。
【００５５】
また、第１のキー２６ａの押下操作後、第２のキー２６ｂの押下操作によって２桁の数字が確定された場合、かかる入力操作信号により、制御部１１は、設定されたチャンネルはアナログ放送のチャンネルであると判断し、アナログ切替キー２４が押下操作されることなく、アナログ／デジタル信号切替部５をアナログに切り替える制御を行う。
【００５６】
また、第１のキー２６ａが２回連続して押下操作されて２桁の数字が入力された場合、かかる入力操作信号により、制御部１１は、設定されるチャンネルはデジタル放送のチャンネルであると判断し、デジタル切替キー２５が押下操作されることなく、アナログ／デジタル信号切替部５をデジタルに切り替える制御を行う。
【００５７】
次に、ユーザによるリモコン２の入力操作に応じて、制御部１１によって行われるチャンネルの選局動作処理について、図３〜図１０を参照しながら説明する。
【００５８】
図３及び図４に示すように、ユーザが１桁のアナログ放送（例えば、チャンネル「７」）を選局する場合、ユーザにより、テンキー（例えば、「７」）２６の第２のキー２６ｂが押下されると（ステップＳ１）、当該操作入力信号がリモコン信号受信部１２を介して制御部１１に入力され、制御部１１は、数字（例えば、「７」）を映像出力部８の表示画面上にＯＳＤ表示させる（ステップＳ２）。次に、制御部１１は、ＯＳＤ表示された数字（例えば、「７」）を確定し、確定された数字をチャンネルとして設定する（ステップＳ３）。ステップＳ４において、制御部１１は、確定されたチャンネルの桁数が１桁であるため、設定されたチャンネルはアナログ放送のチャンネルであると判断して、アナログ／デジタル信号切替部５をアナログに切り替える指示信号を出力し、設定されたチャンネル（例えば、「７」）に対応するアナログ放送を選局させる指示信号をチューナ４に出力して（ステップＳ５）、本処理を終了する。
【００５９】
図５及び図６に示すように、ユーザが２桁のアナログ放送（例えば、チャンネル「３５」）を選局する場合、ユーザにより、テンキー（例えば、「３」）２６の第１のキー２６ａが押下されると（ステップＳ１１）、当該操作入力信号がリモコン信号受信部１２を介して制御部１１に入力され、制御部１１は、数字（例えば、「３」）を映像出力部８の表示画面上にＯＳＤ表示させる（ステップＳ１２）。次に、ユーザにより、テンキー（例えば、「５」）２６の第２のキー２６ｂが押下されると（ステップＳ１３）、当該操作入力信号がリモコン信号受信部１２を介して制御部１１に入力され、制御部１１は、数字（例えば、「５」）を映像出力部８の表示画面上にＯＳＤ表示させ（ステップＳ１４）、ＯＳＤ表示された数字（例えば、「３５」）を確定し、確定された数字をチャンネルとして設定する（ステップＳ１５）。ステップＳ１６において、制御部１１は、２桁目が第２のキーにより入力・確定されたため、設定されたチャンネルはアナログ放送のチャンネルであると判断して、アナログ／デジタル信号切替部５をアナログに切り替える指示信号を出力し、設定されたチャンネル（例えば、「３５」）に対応するアナログ放送を選局させる指示信号をチューナ４に出力して（ステップＳ１７）、本処理を終了する。
【００６０】
図７及び図８に示すように、ユーザが２桁のデジタル放送（例えば、チャンネル「４１」）を選局する場合、ユーザにより、デジタル切替キー５が押下され（ステップＳ２１）、テンキー（例えば、「４」）２６の第１のキー２６ａが押下されると（ステップＳ２２）、当該操作入力信号がリモコン信号受信部１２を介して制御部１１に入力され、制御部１１は、数字（例えば、「４」）を映像出力部８の表示画面上にＯＳＤ表示させる（ステップＳ２３）。次に、ユーザにより、テンキー（例えば、「１」）２６の第２のキー２６ｂが押下されると（ステップＳ２４）、当該操作入力信号がリモコン信号受信部１２を介して制御部１１に入力され、制御部１１は、数字（例えば、「１」）を映像出力部８の表示画面上にＯＳＤ表示させ（ステップＳ２５）、ＯＳＤ表示された数字（例えば、「８」）を確定し、確定された数字をチャンネルとして設定する（ステップＳ２６）。ステップＳ２７において、制御部１１は、アナログ／デジタル信号切替部５をデジタルに切り替える指示信号を出力し、設定されたチャンネル（例えば「４１」）に対応するデジタル放送を選局させる指示信号をチューナ４に出力して（ステップＳ２８）、本処理を終了する。
【００６１】
図９及び図１０に示すように、ユーザが３桁のデジタル放送（例えば、チャンネル「３１０」）を選局する場合、ユーザにより、テンキー（例えば、「３」）２６の第１のキー２６ａが押下されると（ステップＳ３１）、当該操作入力信号がリモコン信号受信部１２を介して制御部１１に入力され、制御部１１は、数字（例えば、「３」）をＯＳＤ表示させる（ステップＳ３２）。次に、ユーザにより、テンキー（例えば、「１」）２６の第１のキー２６ａが押下されると（ステップＳ３３）、当該操作入力信号がリモコン信号受信
部１２を介して制御部１１に入力され、数字（例えば、「１」）を映像出力部８の表示画面上にＯＳＤ表示させる（ステップＳ３４）。ここで、制御部１１は、第１のキー２６ａにより入力された数字の桁数が２桁であるため、設定されるチャンネルはデジタル放送のチャンネルであると判定する。さらに、ユーザにより、テンキー（例えば、「０」）２６の第２のキー２６ｂが押下されると（ステップＳ３５）、当該操作入力信号がリモコン信号受信部１２を介して制御部１１に入力され、制御部１１は、数字（例えば、「０」）を映像出力部８の表示画面上にＯＳＤ表示させる（ステップＳ３６）。制御部１１は、ＯＳＤ表示された数字（例えば、「３０１」）を確定し、確定された数字をチャンネルとして設定する（ステップＳ３７）。ステップＳ３８において、制御部１１は、アナログ／デジタル信号切替部５をデジタルに切り替える指示信号を出力し、設定されたチャンネル（例えば、「３０１」）に対応するデジタル放送を選局させる指示信号をチューナ４に出力して（ステップＳ３９）、本処理を終了する。
【００６２】
以上説明した本発明に係る実施形態１のテレビジョン受像機１００によれば、リモコン２に備わるテンキー２６の第２のキー２６ｂの押下操作により、数字の入力と、数字の入力の確定とが一度に行われて、数字の入力後に別途確定キーを押下操作することなく、映像出力部８の表示画面上にＯＳＤ表示されているチャンネル番号に応じた周波数帯のアナログ／デジタル放送信号が選択され、受信されることとなるため、キーの入力操作回数が減って、ユーザは簡便且つ少ない操作でチャンネル選局を行うことができる。
【００６３】
また、第２のキー２６ｂの押下操作によって１桁の数字が確定された場合、アナログ切替キー２４の押下操作をすることなく、アナログ／デジタル信号切替部５がアナログに切り替えられることとなりアナログ／デジタルの切り替えをスムーズに行うことができる。
【００６４】
また、第１のキー２６ａの押下操作後、第２のキー２６ｂの押下操作によって２桁の数字が確定された場合、アナログ切替キー２４の押下操作をすることなく、アナログ／デジタル信号切替部５がアナログに切り替えられることとなり、アナログ／デジタルの切り替えをスムーズに行うことができる。
【００６５】
また、第１のキー２６ａが２回連続して押下操作されて２桁の数字が入力された場合、デジタル切替キー２５の押下操作をすることなく、アナログ／デジタル信号切替部５がデジタルに切り替えられることとなり、アナログ／デジタルの切り替えをスムーズに行うことができる。
【００６６】
また、第１のキー２６ａと第２のキー２６ｂを備えるテンキー２６は、シーソーボタンであるため、入力操作が容易となる。
【００６７】
（実施形態２）
次に、本発明に係る実施形態２のテレビジョン受像機について説明する。なお、実施形態１と同一部分には同一符号を付し、異なる部分についてのみ説明する。
【００６８】
実施形態２におけるテレビジョン受像機は、メインチャンネルとサブチャンネルが、区分キー（例えば、ハイフンキー）で区切られるチャンネル選局方式が採用されている。メインチャンネルと、選択可能なサブチャンネルはそれぞれ１桁又は２桁であり、ユーザは、１桁又は２桁のメインチャンネルと、選択可能な１桁又は２桁のサブチャンネルからなるチャンネルを選局する。
【００６９】
また、１桁又は２桁のチャンネル番号のみから成る放送番組はアナログ放送であり、ハイフンで区分されるメインチャンネルとサブチャンネルとから成るチャンネル番号に応じた放送番組はデジタル放送である。
【００７０】
まず、装置全体の構成を説明する。図１１は実施形態２におけるテレビジョン受像機１００ａの構成を示すブロック図である。
【００７１】
実施形態２において、テレビジョン受像機本体１ａは、アナログ／デジタル放送信号を受信するアンテナと３、アンテナ３と接続され、アンテナ３により受信されたアナログ／デジタル放送信号から選局及び変調を行うチューナ４と、チューナにより変調されたアナ
ログ／デジタル放送信号の入力を切り替えるアナログ／デジタル信号切替部５と、アンテナにより受信され、チューナにより変調されたアナログ／デジタル放送信号を音声・映像ごとに復号するアナログデコーダ６及びデジタルデコーダ７と、アナログデコーダ６及びデジタルデコーダ７によって復号された映像データに応じて映像を出力する映像出力部８と、アナログデコーダ６及びデジタルデコーダ７によって複合された放送信号に基づく音声データに応じて音声を出力する音声出力部９と、映像出力部８にＯＳＤ（On Screen Display）表示をさせるＯＳＤ付加回路１０と、テレビジョン受像機１００ａの各部に制御
信号を出力し、テレビジョン受像機全体を統括制御する制御部１１ａと、リモコン２ａからの操作信号を受信するリモコン信号受光部１２と、から構成される。
【００７２】
制御部１１ａは、図示しないＣＰＵ（Central Processing Unit）、ＲＡＭ（Random Access  Memory）、ＲＯＭ（Read Only Memory）を備え、リモコン２ａ等による入力操作信号に応じて、ＲＯＭに格納する各種プログラムを実行し、各部に指示信号を出力することによって、テレビジョン受像機１００ａの動作全般を統括制御する。
【００７３】
具体的には、制御部１１ａは、所定のプログラムを実行することにより、リモコン２ａのテンキー２６（図１２）による入力操作により確定された数字に基づいて、チャンネルを設定する設定手段と、入力された数字の桁数に応じて、設定されるチャンネルがアナログ放送かデジタル放送かを判定する判定手段として機能する。
【００７４】
また、制御部１１ａは、所定のプログラムを実行することにより、判定手段による判定結果に応じてアナログ放送又はデジタル放送に切り替える切替手段として機能する。
【００７５】
図１２は、実施形態２におけるリモコン２ａの平面図である。
【００７６】
リモコン２ａは、テレビジョン受像機１００ａの遠隔操作を行う装置であり、各種指示を入力するための各種キーを備えている。
【００７７】
具体的には、図２に示すように、テレビジョン受像機本体１ａの主電源をＯＮ／ＯＦＦするためのＰＯＷＥＲキー２１と、音量を調節するためのボリュームアップ／ダウンキー２２と、チャンネルを変更するためのチャンネルアップ／ダウンキー２３と、アナログ放送／デジタル放送の切り替えを行うアナログ切替キー２４及びデジタル切替キー２５と、所望のテレビジョン放送のチャンネル番号を入力して選局するための数字キーとしてのテンキー２６と、入力を消去するためのＣＬＥＡＲキー２７と、メインチャンネルとサブチャンネルを区分するための区分キーとしてのハイフンキー２８等を備えている。
【００７８】
実施形態２においてリモコン２ａの第２のキー２６ｂを押下した場合、かかる入力操作信号により、制御部１１ａは、数字の入力と、入力された数字の確定とが一度の押下操作により行われたものと判断し、数字の入力後に別途確定キーが押下操作されることなく、確定されたチャンネルに応じた周波数帯のアナログ／デジタル放送信号を選択し、受信することとなる。
【００７９】
また、第２のキー２６ｂの押下操作によって１桁の数字が確定された場合、かかる入力操作信号により、制御部１１ａは、設定されたチャンネルはアナログ放送のチャンネルであると判断し、アナログ切替キー２４が押下操作されることなく、アナログ／デジタル信号切替部５をアナログに切り替える制御を行う。
【００８０】
また、第１のキー２６ａの押下操作後、第２のキーｂの押下操作によって２桁の数字が確定された場合、かかる入力操作信号により、制御部１１ａは、設定されたチャンネルはアナログ放送のチャンネルであると判断し、アナログ切替キー２４が押下操作されることなく、アナログ／デジタル信号切替部５をアナログに切り替える制御を行う。
【００８１】
また、第１のキー２６ａが二回連続して押下操作されて２桁の数字が入力された場合、かかる入力操作信号により、制御部１１ａは、ハイフンキー２８が押下操作されることなく、ハイフンキー２８に基づく操作入力信号が入力されたものと判断する。また、かかる入力操作信号により、制御部１１ａは、設定されるチャンネルはデジタル放送のチャンネ
ルであると判断する。その後、第２のキー２６ｂの押下操作により３桁目の数字が入力・確定され、又は第２のキー２６ｂの押下操作により３桁目の数字が入力され、且つ４桁目の数字の入力により数字が入力・確定されると、制御部１１ａは、デジタル切替キー２５が押下操作されることなく、アナログ／デジタル信号切替部５をデジタルに切り替える制御を行う。
【００８２】
次に、ユーザによるリモコン１３の入力操作に応じて、制御部１１ａによって行われるチャンネルの選局動作処理について、図１３〜図１６を参照しながら説明する。
【００８３】
なお、１桁のアナログチャンネルの選局動作処理及び２桁のアナログチャンネルの選局動作処理については実施形態１の図３〜６の場合と同じであるため、説明は省略する。
【００８４】
図１３及び図１４に示すように、ユーザが、メインチャンネルと１桁のサブチャンネルから成るデジタル放送（例えば、チャンネル「９−１」）を選局する場合、ユーザにより、テンキー（例えば、「０」）２６の第１のキー２６ａが押下されると（ステップＳ４１）、当該操作入力信号がリモコン信号受信部１２を介して制御部１１ａに入力され、制御部１１ａは、数字（例えば、「０」）を映像出力部８の表示画面上にＯＳＤ表示させる（ステップＳ４２）。次に、ユーザにより、テンキー（例えば、「９」）２６の第１のキー２６ａが押下されると（ステップＳ４３）、当該操作入力信号がリモコン信号受信部１２を介して制御部１１ａに入力され、制御部１１ａは、数字（例えば、「９」）を映像出力部８の表示画面上にＯＳＤ表示させ（ステップＳ４４）、さらに、ハイフンを映像出力部８の表示画面上にＯＳＤ表示させる（ステップＳ４５）。ここで、制御部１１ａは、第１のキー２６ａにより入力された数字の桁数が２桁であるため、設定されるチャンネルはデジタル放送のチャンネルであると判定する。ステップＳ４６において、ユーザにより、テンキー（例えば、「１」）が押下されると、当該操作入力信号がリモコン信号受信部１２を介して制御部１１ａに入力され、制御部１１ａは、数字（例えば、「１」）を映像出力部８の表示画面上にＯＳＤ表示させ（ステップＳ４７）、ＯＳＤ表示された数字（例えば、「９−１」）を確定し、確定された数字をチャンネルとして設定する（ステップＳ４８）。次に制御部１１ａは、アナログ／デジタル信号切替部５をデジタルに切り替える指示信号を出力し（ステップＳ４９）、設定されたチャンネル（例えば、「９−１」）に対応するデジタル放送を選局させる指示信号をチューナ４に出力して（ステップＳ５０）、本処理を終了する。
【００８５】
図１５及び図１６に示すように、ユーザが、メインチャンネルと２桁のサブチャンネルから成るデジタル放送（例えば、チャンネル「１７−６３」）を選局する場合、ユーザにより、テンキー（例えば、「１」）２６の第１のキー２６ａが押下されると（ステップＳ５１）、当該操作入力信号がリモコン信号受信部１２を介して制御部１１ａに入力され、制御部１１ａは、数字（例えば、「０」）を映像出力部８の表示画面上にＯＳＤ表示させる（ステップＳ５２）。次に、ユーザにより、テンキー（例えば、「７」）２６の第１のキー２６ａが押下されると（ステップＳ５３）、当該操作入力信号がリモコン信号受信部１２を介して制御部１１ａに入力され、制御部１１ａは、数字（例えば、「９」）を映像出力部８の表示画面上にＯＳＤ表示させ（ステップＳ５４）、さらに、ハイフンを映像出力部８の表示画面上にＯＳＤ表示させる（ステップＳ５５）。ここで、制御部１１ａは、第１のキー２６ａにより入力された数字の桁数が２桁であるため、設定されるチャンネルはデジタル放送のチャンネルであると判定する。次に、ステップＳ５６において、ユーザにより、テンキー（例えば、「６」）２６が押下されると、当該操作入力信号がリモコン信号受信部１２を介して制御部１１ａに入力され、制御部１１ａは、数字（例えば、「６」）を映像出力部８の表示画面上にＯＳＤ表示させる（ステップＳ５７）。次に、ユーザにより、テンキー（例えば、「３」）２６が押下されると（ステップＳ５８）、当該操作入力信号がリモコン信号受信部１２を介して制御部１１ａに入力され、制御部１１ａは、数字（例えば、「３」）を映像出力部８の表示画面上にＯＳＤ表示させる（ステップＳ５
９）。ステップＳ６０において、制御部１１ａは、ＯＳＤ表示された数字（例えば、「１７―６３」）を確定し、確定された数字をチャンネルとして設定する。次に、制御部１１ａは、アナログ／デジタル信号切替部５をデジタルに切り替える指示信号を出力し（ステップＳ６１）、設定されたチャンネル（例えば、「１７−６３」）に対応するデジタル放送を選局させる指示信号をチューナ４に出力して（ステップＳ６２）、本処理を終了する。
【００８６】
以上説明した本発明に係る実施形態２のテレビジョン受像機１００ａによれば、リモコン２ａに備わるテンキー２６の第２のキー２６ｂの押下操作により、数字の入力と、チャンネルの確定とが一度に行われて、数字の入力後に別途確定キーを押下操作することなく、ＯＳＤ表示されているチャンネルに応じた周波数帯のアナログ／デジタル放送信号が選択され、受信されることとなるため、キーの入力操作回数が減って、ユーザは簡便且つ少ない操作でチャンネル選局を行うことができる。
【００８７】
また、第２のキー２６ｂの押下操作によって１桁の数字が確定された場合、又は第１のキー２６ａの押下操作後、第２のキー２６ｂの押下操作によって２桁の数字が確定された場合、アナログ切替キー２４の押下操作をすることなく、アナログ／デジタル信号切替部５がアナログに切り替えられることとなり、アナログ／デジタルの切り替えをスムーズに行うことができる。
【００８８】
また、第１のキー２６ａが二回連続して押下操作されて２桁の数字が入力された場合、ハイフンキー２８の押下操作をすることなくハイフンにより数字が区分され、その後第２のキー２６ｂの押下操作により３桁目の数字が入力・確定された場合、又は第１のキー２６ａの押下操作により３桁目の数字が入力され、且つ第２のキー２６ｂの押下操作により四桁目の数字が入力・確定された場合、デジタル切替キー２５の押下操作をすることなく、アナログ／デジタル信号切替部５がデジタルに切り替えられることとなり、アナログ／デジタルの切り替えをスムーズに行うことができる。
【００８９】
また、第１のキー２６ａと第２のキー２６ｂを備えるテンキー２６は、シーソーボタンであるため、入力操作が容易となる。
【００９０】
なお、本発明は上記実施の形態に限定されることなく、本発明の趣旨を逸脱しない範囲において、種々の改良並びに設計の変更を行ってもよい。
【００９１】
例えば、本発明は操作入力装置としてテレビジョン受像機１００、１００ａに用いられるリモートコントロール装置２、２ａについて説明したが、例えば、ディスク再生装置等の他の電子機器に備わるリモートコントロール装置であってもよく、また、リモートコントロール装置に限らず、複数桁の数字を入力するための数字キーを備えた操作入力装置（電卓、携帯電話機等）であればよい。
【００９２】
また、数字キーとして、第１のキー２６ａと第２のキー２６ｂとを個別に備える構成としたが、例えば、数字キーの押下時間により、第１のキーとしての機能と第２のキーとしての機能とが実行されるようにしてもよい。具体的には、数字キーを長押しすることにより第二のキーとしての機能が実行される設定であってもよい。
【００９３】
また、設定可能なチャンネル桁数は何桁でもよい。
【００９４】
また、実施形態１において、アナログ放送は１桁及び２桁のチャンネル、デジタル放送は２桁及び３桁のチャンネルに割り当てられている例、実施形態２においてアナログ放送はメインチャンネルのみから成るチャンネル、デジタル放送は区分キーで区分されるメインチャンネルとサブチャンネルから成るチャンネルに割り当てられている例を用いて説明したが、アナログ放送とデジタル放送が割り当てられるチャンネルは自由に設定してよい。
【００９５】
また、実施形態１において、第２のキー２６ｂにより１桁又は２桁のチャンネルが設定される場合、自動的にアナログ放送に切り替わる例を用いて説明したが、自動的にデジタル放送に切り替わる設定であってもよい。
【００９６】
また、実施形態１において、２桁のデジタル放送を選局する際に、テンキー２６による
数字の入力前にデジタル切替キー２５の押下操作を行う例を用いて説明したが、第１のキー２６ａによる数字の入力後に別途確定キーを押下することにより、デジタル切替キー２５を押下操作することなく自動的にアナログ／デジタル切替部５がデジタルに切り替わる設定であってもよい。
【図面の簡単な説明】
【００９７】
【図１】本発明に係るテレビジョン受像機の構成を示すブロック図である。
【図２】本発明に係るリモートコントロール装置の平面図である。
【図３】実施形態１における１桁のアナログ放送のチャンネルの選局動作処理を示すフローチャートである。
【図４】実施形態１における１桁のアナログ放送のチャンネルの選局動作処理に応じて表示画面上に表示されるＯＳＤ表示を例示した図である。
【図５】実施形態１における２桁のアナログ放送のチャンネルの選局動作処理を示すフローチャートである。
【図６】実施形態１における２桁のアナログ放送のチャンネルの選局動作処理に応じて表示画面上に表示されるＯＳＤ表示を例示した図である。
【図７】実施形態１における２桁のデジタル放送のチャンネルの選局動作処理を示すフローチャートである。
【図８】実施形態１における２桁のデジタル放送のチャンネルの選局動作処理に応じて表示画面上に表示されるＯＳＤ表示を例示した図である。
【図９】実施形態１における３桁のデジタル放送のチャンネルの選局動作処理を示すフローチャートである。
【図１０】実施形態１における３桁のデジタル放送のチャンネルの選局動作処理に応じて表示画面上に表示されるＯＳＤ表示を例示した図である。
【図１１】本発明の実施形態２に係るテレビジョン受像機の構成を示すブロック図である。
【図１２】本発明の実施形態２に係るリモートコントロール装置の平面図である。
【図１３】実施形態２におけるメインチャンネルと１桁のサブチャンネルから成るデジタル放送のチャンネルの選局動作処理を示すフローチャートである。
【図１４】実施形態２におけるメインチャンネルと１桁のサブチャンネルから成るデジタル放送のチャンネルの選局処理に応じて表示画面上に表示されるＯＳＤ表示を例示した図である。
【図１５】実施形態２におけるメインチャンネルと２桁のサブチャンネルから成るデジタル放送のチャンネルの選局動作処理を示すフローチャートである。
【図１６】実施形態２におけるメインチャンネルと２桁のサブチャンネルから成るデジタル放送のチャンネルの選局動作処理に応じて表示画面上に表示されるＯＳＤ表示を例示した図である。
【符号の説明】
【００９８】
１００、１００ａ  テレビジョン受像機
１、１ａ          テレビジョン受像機本体
２、２ａ          リモートコントロール装置（操作入力装置）
１１、１１ａ      制御部（設定手段、判定手段、切替手段）
２６              テンキー
２６ａ            第１のキー
２６ｂ            第２のキー
【図１】
2007020076.tif 000003
【図２】
2007020076.tif 000004
【図３】
2007020076.tif 000005
【図４】
2007020076.tif 000006
【図５】
2007020076.tif 000007
【図６】
2007020076.tif 000008
【図７】
2007020076.tif 000009
【図８】
2007020076.tif 000010
【図９】
2007020076.tif 000011
【図１０】
2007020076.tif 000012
【図１１】
2007020076.tif 000013
【図１２】
2007020076.tif 000014
【図１３】
2007020076.tif 000015
【図１４】
2007020076.tif 000016
【図１５】
2007020076.tif 000017
【図１６】
2007020076.tif 000018